(57)【要約】【課題】義歯と該義歯が接触する口腔内の粘膜面との間に唾液が入る唾液スペースを確保することにより、好ましい吸着性と装着感を備え、離脱するおそれのない義歯の製作方法を提供する。【解決手段】患者の口腔に対応するオス型の第一石膏模型（１１ａ）を形成し、該第一石膏模型に基いてオス型の第二石膏模型（１１ｂ）を形成し、該第二石膏模型に基いて義歯（２１）を製作することにより、該義歯と該義歯が接触する口腔内の粘膜面（２３）との間に唾液が入る唾液スペース（２５）を確保するようにしたことを特徴とする義歯の製作方法。義歯の咬合堤（１５’）には唾液スペースから該咬合堤を貫通して該咬合堤の外部に至る唾液通路（２７）を形成する。唾液通路における咬合堤の外部に臨む端部（２７ａ）には唾液の流出のみを許す逆止弁（３１）を備えさせる。【選択図】図１
2006043243.tif 000002
【特許請求の範囲】
【請求項１】
患者の口腔に対応するオス型の第一石膏模型を形成し、該第一石膏模型に基いてオス型の第二石膏模型を形成し、該第二石膏模型に基いて義歯を製作することにより、該義歯と該義歯が接触する口腔内の粘膜面との間に唾液が入る唾液スペースを確保するようにしたことを特徴とする義歯の製作方法。
【請求項２】
義歯の咬合堤には前記唾液スペースから該咬合堤を貫通して該咬合堤の外部に至る唾液通路を形成することを特徴とする請求項１に記載の義歯の製作方法。
【請求項３】
前記唾液通路における咬合堤の外部に臨む端部には唾液の流出のみを許す逆止弁を備えさせることを特徴とする請求項２に記載の義歯の製作方法。
【発明の詳細な説明】
【技術分野】
【０００１】
本発明は、義歯の製作方法に関するものであり、特に義歯と該義歯が接触する口腔内の粘膜面との間に唾液が入る唾液スペースを確保することにより、義歯の吸着性と装着感を向上させた義歯の製作方法に係るものである。
【背景技術】
【０００２】
義歯は、一般に下記の如く製作される。
【０００３】
（１）アルジネート等の印象材により、患者の口腔のメス型を形成する。
【０００４】
（２）上記メス型に石膏を注入してオス型の石膏模型１を形成する。石膏模型１の一例を図３に示す。
【０００５】
（３）石膏模型１の上で咬合床２を手で製作する。図４参照。咬合床２は、ポリメチルメタクリレート等のアクリル系樹脂の基礎床３上に硬い蝋の床用蝋（咬合堤）５を歯列弓に対応させて突設形成してなるものである。基礎床３の厚さは、約１ｍｍである。床用蝋５は、人工歯を植設するベースとなるものである。
【０００６】
（４）咬合床２を患者の口腔内に入れて高さを調整し、床用蝋５の表面約１ｍｍを火炎で軟化させて咬合採得する。
【０００７】
（５）咬合床２の床用蝋５に人工歯７を融着して蝋義歯９を製作する（図５参照）。その際、臼歯の高さ、前歯の審美性を調整し、適宜歯肉を形成する。人工歯７は硬い合成樹脂、陶器等により形成される。この蝋義歯９を患者の口腔に嵌めて試適し、必要に応じて人工歯の再排列等の調整を行なう。人工歯７は床用蝋５から極めて外れ易い。人工歯７を移動させる際には、熱したスパチュラ等により床用蝋５を溶かす。なお、特開平８−８０３０６号公報は、合成樹脂製の人工歯を開示している。
【０００８】
（６）蝋義歯９を石膏模型１と共に寒天フラスコに入れ、加圧、加熱して蝋義歯９の蝋をロストワックス法によりポリメチルメタクリレート等のアクリル系樹脂に置き換える。即ち、アクリル系樹脂の義歯が形成される。
【０００９】
（７）寒天フラスコから義歯を取り出し、石膏模型１を義歯から除去する。なお、石膏模型１は寒天フラスコ内で熱により破壊されている。以上により、義歯が形成される。
【特許文献１】特開平８−８０３０６号公報
【発明の開示】
【発明が解決しようとする課題】
【００１０】
しかるに、上記従来の義歯の製作方法においては、石膏模型は固まると約５％の体積膨張を起こすが、ポリメチルメタクリレート等のアクリル系樹脂の基礎床を備えた咬合床は約７％の体積収縮を起こす。従って、製作された義歯は所定の寸法よりも若干小さなものとなる。更に、義歯は各部の厚みにより収縮の度合いが相違するため、義歯に変形が生じ、義歯は更に窮屈なものとなる。その結果、義歯は口腔内の粘膜面に対する吸着性と義歯の装着感とが低下し、義歯が離脱するおそれが生ずる。
【００１１】
上記従来の義歯の製作方法におけるこのような状況に鑑み、本発明は、義歯と該義歯が接触する口腔内の粘膜面との間に唾液が入る唾液スペースを確保することにより、好ましい吸着性と装着感を備え、離脱するおそれのない義歯の製作方法を提供しようとしてなされたものである。
【課題を解決するための手段】
【００１２】
上記課題を解決するために、本発明は、下記の義歯の製作方法を提供する。
【００１３】
［１］患者の口腔に対応するオス型の第一石膏模型を形成し、該第一石膏模型に基いてオス型の第二石膏模型を形成し、該第二石膏模型に基いて義歯を製作することにより、該義歯と該義歯が接触する口腔内の粘膜面との間に唾液が入る唾液スペースを確保するようにしたことを特徴とする義歯の製作方法（請求項１）。
【００１４】
［２］義歯の咬合堤には前記唾液スペースから該咬合堤を貫通して該咬合堤の外部に至る唾液通路を形成する（請求項２）。
【００１５】
［３］前記唾液通路における咬合堤の外部に臨む端部には唾液の流出のみを許す逆止弁を備えさせる（請求項３）。
【００１６】
［発明の作用］
［請求項１の発明］
第一石膏模型は固まると例えば約５％の体積膨張を起こす。体積膨張した第一石膏模型に基いて形成された第二石膏模型も固まると更に例えば約５％の体積膨張を起こす。換言すれば、第一石膏模型は患者の口腔よりも若干大きく形成され、第二石膏模型は第一石膏模型よりも更に大きく形成される。義歯の合成樹脂部は例えば約７％の体積収縮を起こすのであるが、義歯は第一石膏模型よりも更に大きな第二石膏模型に基いて製作されるため、義歯は患者の口腔内における対応部よりも若干大きく形成される。その結果、義歯と該義歯が接触する口腔内の粘膜面との間に唾液が入る唾液スペースが確保される。咬合時に義歯は口腔内の粘膜面方向に押圧されるため、唾液スペース内に入った唾液は該唾液スペースより外部に押し出され、その結果、義歯は口腔内の粘膜面に吸着される。即ち、唾液スペースを確保することにより、好ましい吸着性と装着感を備え、離脱するおそれのない義歯が得られる。
【００１７】
［請求項２の発明］
唾液スペースに入った唾液は、咬合時に、更に唾液通路を介して外部に押し出される。従って、義歯は口腔内の粘膜面により強力に吸着される。
【００１８】
［請求項３の発明］
唾液通路における咬合堤の外部に臨む端部に備えさせた逆止弁は、該唾液通路からの唾液の流出のみを許し、該唾液通路内への唾液の流入を許さないため、咬合時には、唾液スペース内の唾液は唾液通路を通ってより効果的に外部に押し出される。従って、義歯は口腔内の粘膜面に更に強力に吸着される。
【発明の効果】
【００１９】
［請求項１の発明］
義歯と該義歯が接触する口腔内の粘膜面との間に唾液が入る唾液スペースが確保されるため、好ましい吸着性と装着感を備え、離脱するおそれのない義歯が得られる。
【００２０】
また、義歯が口腔内の粘膜面に好ましく吸着されるため、義歯を天然歯に係止する鈎（クラスプ）を要しない義歯が得られる。
【００２１】
義歯は、第一石膏模型ではなく、第二石膏模型に基いて製作されるため、第一石膏模型は、義歯の完成後も、そのまま残存する。従って、歯科技工士は、義歯を第一石膏模型に取り付けた状態で歯科医に納品することができる。そのため、歯科技工士は、歯科医に対し、義歯が唾液スペースを備えていること及びその効果を目視的に説明することができる。また、後日、義歯に不具合が生じたときには、義歯を第一石膏模型に取り付けて調整することもできる。
【００２２】
［請求項２の発明］
義歯の咬合堤には唾液スペースから該咬合堤を貫通して該咬合堤の外部に至る唾液通路を形成したため、義歯は口腔内の粘膜面により強力に吸着される。
【００２３】
［請求項３の発明］
唾液通路における咬合堤の外部に臨む端部には唾液の流出のみを許す逆止弁を備えさせたため、義歯は口腔内の粘膜面に更に強力に吸着される。
【発明を実施するための最良の形態】
【００２４】
本発明においては、義歯は下記の如く製作される。
【００２５】
（１）アルジネート等の印象材により、患者の口腔のメス型を形成する。
【００２６】
（２）上記メス型に石膏（歯科用硬石膏）を注入してオス型の第一石膏模型１１ａを形成する。第一石膏模型１１ａの一例を図３に示す。第一石膏模型１１ａは固まると例えば約５％の体積膨張を起こす。
【００２７】
（２’）体積膨張した第一石膏模型１１ａに基いてオス型の第二石膏模型１１ｂを形成する。即ち、第一石膏模型１１ａを寒天フラスコに入れ、該寒天フラスコに寒天を注入する。寒天が固まった後、第一石膏模型１１ａを寒天から取り外して寒天のメス型を得る。この寒天のメス型に石膏（歯科用硬石膏）を注入して第二石膏模型１１ｂを形成する。第二石膏模型１１ｂも固まると更に例えば約５％の体積膨張を起こす。即ち、第二石膏模型１１ｂは第一石膏模型１１ａよりも更に約５％体積が膨張している。なお、寒天は、その欠点である破断率の高さを解消するため、歯科用寒天に天然寒天を加えてなるものを使用することが望ましい。
【００２８】
以後、第二石膏模型１１ｂを用いて、上記従来の製作方法における（３）〜（７）と同様にして、義歯を製作する。
【００２９】
（３）第二石膏模型１１ｂの上で咬合床１２を手で製作する。図４参照。咬合床１２は、ポリメチルメタクリレート等のアクリル系樹脂の基礎床１３上に硬い蝋の床用蝋（咬合堤）１５を歯列弓に対応させて突設形成してなるものである。基礎床１３の厚さは、約１ｍｍである。床用蝋１５は、人工歯を植設するベースとなるものである。
【００３０】
（４）咬合床１２を患者の口腔内に入れて高さを調整し、床用蝋１５の表面約１ｍｍを火炎で軟化させて咬合採得する。
【００３１】
（５）咬合床１２の床用蝋１５に人工歯１７を融着して蝋義歯１９を製作する（図５参照）。その際、臼歯の高さ、前歯の審美性を調整し、適宜歯肉を形成する。人工歯１７は硬い合成樹脂、陶器等により形成される。この蝋義歯１９を患者の口腔に嵌めて試適し、必要に応じて人工歯の再排列等の調整を行なう。
【００３２】
（６）蝋義歯１９を第二石膏模型１１ｂと共に寒天フラスコに入れ、加圧、加熱して蝋義歯１９の蝋をロストワックス法によりポリメチルメタクリレート等のアクリル系樹脂に置き換える。即ち、アクリル系樹脂の義歯２１が形成される。床用蝋１５は樹脂の咬合堤１５’となる。
【００３３】
重合歪を人工歯溶着部に集中させ、粘膜面の歪を解消する。約７％の樹脂収縮を上部人工歯周辺に厚め、樹脂収縮を人工歯に移動させることにより、粘膜面の収縮を抑える。
【００３４】
（７）寒天フラスコから義歯２１を取り出し、第二石膏模型１１ｂを義歯２１から除去する。なお、第二石膏模型１１ｂは寒天フラスコ内で熱により破壊されている。以上により、義歯２１が形成される。なお、義歯２１の粘膜面の歪を排除するために、石膏分離剤は使用しない。
【００３５】
このようにして製作された義歯２１においては、義歯２１と該義歯２１が接触する口腔内の粘膜面２３との間に唾液が入る唾液スペース２５が確保される。図１参照。
【００３６】
義歯２１は突出部を削除し、第一石膏模型１１ａに取り付ける。
【００３７】
義歯２１の咬合堤１５’には唾液スペース２５から該咬合堤１５’を貫通して該咬合堤１５’の外部に至る唾液通路２７を形成する。唾液通路２７は、一例として、ビニールチューブ等のチューブ２９を挿入することにより形成する。チューブ２９の内径は、一例として約０．７ｍｍとする。唾液通路２７は、好ましくは、唾液スペース２５の略中央部から咬合堤１５’の外部に至るものとする。
【００３８】
唾液通路２７における咬合堤１５’の外部に臨む端部２７ａには唾液の流出のみを許す逆止弁３１を備えさせる。逆止弁３１は、一例として、軟性のポリエチレンにより形成し、逆止弁３１の一端を唾液通路２７における咬合堤１５’の外部に臨む端部２７ａに枢着する。
【図面の簡単な説明】
【００３９】
【図１】唾液スペース、唾液通路、逆止弁等を示す断面図である。
【図２】逆止弁を示す断面図である。
【図３】石膏模型（第一石膏模型）を示す平面図である。
【図４】咬合床を示す平面図である。
【図５】蝋義歯の正面図である。
【符号の説明】
【００４０】
１  石膏模型
２  咬合床
３  基礎床
５  床用蝋
７  人工歯
９  蝋義歯
１１ａ  第一石膏模型
１１ｂ  第二石膏模型
１２  咬合床
１３  基礎床
１５  床用蝋
１５’  咬合堤
１７  人工歯
１９  蝋義歯
２１  義歯
２３  粘膜面
２５  唾液スペース
２７  唾液通路
２７ａ  端部
２９  チューブ
３１  逆止弁
【図１】
2006043243.tif 000003
【図２】
2006043243.tif 000004
【図３】
2006043243.tif 000005
【図４】
2006043243.tif 000006
【図５】
2006043243.tif 000007